(57)【要約】【課題】ホストデバイスをＵＳＢ接続した状態で、周辺外部機器からのデータをＵＳＢ接続により直接記録させる。【解決手段】リムーバブルな光学式記録媒体である光ディスク（ＭＯ（光磁気）ディスク）２８にデータを記録・再生する光学式情報記録再生装置１は、第１のコネクタ５に接続されるデジタルスチルカメラ２１とデータを送受するダイレクトコピー制御部２３と、第２のコネクタ１０に接続されるパーソナルコンピュータ２４からのデータとダイレクトコピー制御部２３からのデータとの一方を出力するＵＳＢバス切替回路２７と、ＵＳＢバス切替回路２７からのデータを光ディスク２８に記録・再生する光ディスクドライブ制御部（ＭＯドライブ制御部）２９を備えて構成される。【選択図】　図３
2004139651.tif 000002
【特許請求の範囲】
【請求項１】
ホストデバイスの制御によりデータを着脱自在の情報記録媒体に記録・再生する情報記録再生装置において、
周辺外部機器が有するデータを所定プロトコルで送受する第１のインターフェイス部と、
前記第１のインターフェイス部を介して前記周辺外部機器を制御しデータ通信を行う第１の制御部と、
前記ホストデバイスとデータを所定プロトコルで送受する第２のインターフェイス部と、
前記第２のインターフェイス部を介した前記ホストデバイスからのデータと前記第１の制御部からのデータとを一方を選択的に出力する出力選択部と、
前記出力選択部から出力されたデータを前記記録媒体に記録・再生する第２の制御部と
を備え、
前記第１の制御部は、前記第２の制御部からの切り替え許可信号に応じて前記出力選択部の出力を切り替え、
前記第２の制御部は、少なくとも前記ホストデバイスからのデータ通信におけるパケットを監視し、前記パケットの状態に応じた前切り替え許可信号を前記第１の制御部に出力する
ことを特徴とする情報記録再生装置。
【請求項２】
前記第２の制御部は、前記パケットが所定時間変化しない場合に前記切り替え許可信号をアクティブにして出力し、
前記前記第１の制御部は、前記前記第２の制御部からのアクティブとなった前記切り替え許可信号に基づき前記出力選択部の出力を前記第１の制御部からのデータとし、前記前記第２の制御部により前記周辺外部機器が有するデータを前記記録媒体にダイレクトコピーする
ことを特徴とする請求項１に記載の情報記録再生装置。
【請求項３】
前記周辺外部機器が有するデータを送受する所定プロトコル及び前記ホストデバイスとデータを送受する所定プロトコルは、ＵＳＢである
ことを特徴とする請求項１または２に記載の情報記録再生装置。
【発明の詳細な説明】
【０００１】
【発明の属する技術分野】
本発明は、データを記録媒体に記録・再生する情報記録再生装置に関する。
【０００２】
【従来の技術】
従来より、デジタルスチルカメラ等の携帯機器によりＰＣカードに記録した画像ファイルをフロッピー（登録商標）ディスク等の他の記録媒体に複写する画像ファイル複写装置が知られている。
【０００３】
このような装置として、例えば、特開平７−２８３８９６号公報に開示されたものが知られている。この装置においては、装着された複写元の記録媒体上の画像ファイルを接続されたモニタ画面上にマルチ画面形式で表示し、複写する画像を選択できるようにしている。
【０００４】
しかし、上記特開平７−２８３８９６号公報に開示された従来の画像ファイル複写装置では、デジタルスチルカメラを長期間携帯する場合には、記憶容量が大きいＨＤＤ（ハードディスク装置）を装備したノートパソコン等を同時に携帯する必要があった。
【０００５】
そこで、例えば特開２００１−３４６１４３号公報では、画像ファイルの複写目的外の機能が多いパーソナルコンピュータを使用せずに、デジタルスチルカメラ等でＰＣカード上に取得した画像ファイルを複写保存することのできる携帯可能な画像ファイル複写装置を提案している。
【０００６】
一方、一般にホストデバイスであるパーソナルコンピュータ（ＰＣ）と、上記のデジタルスチルカメラやプリンタあるいは外付け情報記録再生装置等の被制御機器とは、汎用の通信プロトコル、例えばＵＳＢ（Ｕｎｉｖｅｒｓａｌ　Ｓｅｒｉａｌ　Ｂｕｓ）等により接続・通信が行われ、パーソナルコンピュータにより被制御機器が制御される。
【０００７】
ＵＳＢは、コンピュータ周辺機器のプラグ　アンド　プレイ機能をＰＣボックスの外部に引き出す。この仕様によって、専用のコンピュータスロットにカードを装着し、周辺機器がＰＣに着脱される度にシステムを再構成する、という必要性をなくす。ＵＳＢを搭載したパーソナルコンピュータは、コンピュータ周辺機器が物理的に接続された途端に、リブートしたりセットアップを走らせたりする必要なく、当該コンピュータ周辺機器を自動的に構成することができる。
【０００８】
また、ＵＳＢは、モニタやキーボードのような周辺機器を追加的なプラグインサイトまたはハブとして機能させながら、１台のコンピュータ上で同時に１２７台までの多数のデバイスを走らせることができる。
【０００９】
このようなＵＳＢ接続を行うことで、パーソナルコンピュータは、例えばデジタルスチルカメラからの画像データの編集を行ったり、処理した各種データをプリントアウトしたり、所望のデータを外付け情報記録再生装置に記録再生を行うことが可能となる。
【００１０】
【特許文献１】
特開平７−２８３８９６号公報
【００１１】
【特許文献２】
特開２００１−３４６１４３号公報
【００１２】
【発明が解決しようとする課題】
しかしながら、上記ＵＳＢにおいては、１つのホストデバイスに対して複数の被制御機器を接続することは可能であるが、１つの被制御機器に複数のホストデバイスを接続することができないため、例えばパーソナルコンピュータが接続されたリムーバブルな光学式記録媒体である光ディスクにデータを記録・再生する光ディスク装置において、光ディスクにデジタルスチルカメラからの画像データを記録させる場合、デジタルスチルカメラがホストデバイスを内蔵していないならばパーソナルコンピュータにデジタルスチルカメラからの画像データを一旦格納してから光ディスク装置に画像データを転送するか、あるいはデジタルスチルカメラがホストデバイスを内蔵しているならば光ディスク装置との接続をパーソナルコンピュータからデジタルスチルカメラに代える必要があるといった問題がある。
【００１３】
本発明は、上記事情に鑑みてなされたものであり、ホストデバイスをＵＳＢ接続した状態で、周辺外部機器からのデータをＵＳＢ接続により直接記録させることのできる情報記録再生装置を提供することを目的としている。
【００１４】
【課題を解決するための手段】
本発明の情報記録再生装置は、ホストデバイスの制御によりデータを着脱自在の情報記録媒体に記録・再生する情報記録再生装置において、周辺外部機器が有するデータを所定プロトコルで送受する第１のインターフェイス部と、前記第１のインターフェイス部を介して前記周辺外部機器を制御しデータ通信を行う第１の制御部と、前記ホストデバイスとデータを所定プロトコルで送受する第２のインターフェイス部と、前記第２のインターフェイス部を介した前記ホストデバイスからのデータと前記第１の制御部からのデータとを一方を選択的に出力する出力選択部と、前記出力選択部から出力されたデータを前記記録媒体に記録・再生する第２の制御部とを備え、前記第１の制御部が前記第２の制御部からの切り替え許可信号に応じて前記出力選択部の出力を切り替え、前記第２の制御部が少なくとも前記ホストデバイスからのデータ通信におけるパケットを監視し、前記パケットの状態に応じた前切り替え許可信号を前記第１の制御部に出力するように構成される。
【００１５】
【発明の実施の形態】
以下、図面を参照しながら本発明の実施の形態について述べる。
【００１６】
図１ないし図５は本発明の一実施の形態に係わり、図１はリムーバブルな光学式記録媒体にデータを記録・再生する光学式情報記録再生装置の外観を示す外観図、図２は図１のリムーバブルな光学式記録媒体にデータを記録・再生する光学式情報記録再生装置の背面を示す背面図、図３は図１のリムーバブルな光学式記録媒体にデータを記録・再生する光学式情報記録再生装置の回路構成を示すブロック図、図４は図３のＭＯドライブ制御部の作用を説明するフローチャート、図５は図３のダイレクトコピー制御部の作用を説明するフローチャートである。
【００１７】
本実施の形態の光学式情報記録再生装置はリムーバブルな光学式記録媒体である光ディスクにデータを記録・再生する装置であって、以下、リムーバブルな光学式記録媒体である光ディスクとして、ＭＯ（光磁気）ディスクを例に説明する。
【００１８】
図１に示すように、ＭＯ（光磁気）ディスク装置１は、前面に後述するＭＯ（光磁気）ディスクを装置内にローディングするためのディスク挿入口２と、装置の電源をオン・オフするパワースイッチ３と、電源のオン状態を示すパワーＬＥＤ（Ｐｏｗｅｒ　ＬＥＤ）４と、周辺外部機器である後述するデジタルスチルカメラと例えばＵＳＢ１．１準拠で接続するための第１のコネクタ５と、第１のコネクタ５に接続されたデジタルスチルカメラからの画像データのＭＯ（光磁気）ディスクへの直接記録（以下、ダイレクトコピーと記す）を指示するＬＥＤ機能を有するコピースタート／ストップスイッチ（ＣＯＰＹ　ＳＷ　ＳＴＡＲＴ／ＳＴＯＰ）６と、コピー状態を表示する２つのコピー状態ＬＥＤ（ＣＯＰＹ　ＳＴＡＴＵＳ　ＬＥＤ及びＤｒｉｖｅ　ＢＵＳＹ　ＬＥＤ）７、８と、ＭＯ（光磁気）ディスクの装置からの排出を指示するディスク排出スイッチ９とが設けられ、背面には図２に示すように、ホストデバイスを有する後述するパーソナルコンピュータと例えばＵＳＢ２．０準拠で接続するための第２のコネクタ１０と、装置に電源を供給するＡＣアダプタを接続するアダプタ接続コネクタ１１とが設けられている。
【００１９】
ＭＯ（光磁気）ディスク装置１の回路構成は、図３に示すように、第１のコネクタ５に接続されるデジタルスチルカメラ２１とＵＳＢ１．１準拠で通信を行い第１のＵＳＢ２２を介してデジタルスチルカメラ２１とデータを送受するダイレクトコピー制御部２３と、第２のコネクタ１０に接続されるパーソナルコンピュータ２４からのＵＳＢ２．０準拠の第２のＵＳＢ２５を介したデータとダイレクトコピー制御部２３からのＵＳＢ１．１準拠の第３のＵＳＢ２６を介したデータとの一方をダイレクトコピー制御部２３の制御により出力するＵＳＢバス切替回路２７と、ＵＳＢバス切替回路２７からのＵＳＢ２．０準拠の第４のＵＳＢ３０を介したデータをＭＯ（光磁気）ディスク２８に記録・再生するＭＯドライブ制御部２９を備えて構成される。
【００２０】
なお、コピースタート／ストップスイッチ（ＣＯＰＹ　ＳＷ　ＳＴＡＲＴ／ＳＴＯＰ）６のスイッチ入力はダイレクトコピー制御部２３に入力され、コピースタート／ストップスイッチ（ＣＯＰＹ　ＳＷ　ＳＴＡＲＴ／ＳＴＯＰ）６のＬＥＤ機能及びコピー状態ＬＥＤ（ＣＯＰＹ　ＳＴＡＴＵＳ　ＬＥＤ）７はダイレクトコピー制御部２３により制御される。また、コピー状態ＬＥＤ（Ｄｒｉｖｅ　ＢＵＳＹ　ＬＥＤ）８はＭＯドライブ制御部２９により制御される。
【００２１】
次に、このように構成された本実施の形態のリムーバブルな光学式記録媒体にデータを記録・再生する光学式情報記録再生装置の一例であるＭＯ（光磁気）ディスク装置１の作用について説明する。
【００２２】
まず、ＭＯドライブ制御部２９の処理について説明する。図４に示すように、ＭＯドライブ制御部２９は、ステップＳ１で切り替え許可信号３１（図３参照）をＯＦＦとしてダイレクトコピー制御部２３に出力し、ステップＳ２でホストデバイスであるパーソナルコンピュータ２４との接続状態を検出する。
【００２３】
そして、ステップＳ３でＵＳＢ接続でＶＢＵＳ（＋５Ｖ）がオフ状態（パーソナルコンピュータ２４の電源がオフあるいは未接続）かあるいはパケットが所定時間なくサスペンド状態（休止状態）かを判定し、ＶＢＵＳ（＋５Ｖ）がオフ状態あるいはサスペンド状態ならばステップＳ４に進み、そうでないならば処理を終了する。
【００２４】
ステップＳ４ではＭＯ（光磁気）ディスク２８の装着状態を検出し、ステップＳ５でＭＯ（光磁気）ディスク２８が装着されていると判断するとディスク有無信号３３（図３参照）を’Ｈ’としてダイレクトコピー制御部２３に出力してステップＳ６に進み、そうでないならば処理を終了する。
【００２５】
ステップＳ６ではコピースタート／ストップスイッチ（ＣＯＰＹ　ＳＷ　ＳＴＡＲＴ／ＳＴＯＰ）６が押下されたかどうか判断し、押下されたならばステップＳ７で切り替え許可信号３１をＯＮとしてダイレクトコピー制御部２３に出力する。
【００２６】
ダイレクトコピー制御部２３は、ステップＳ７で通信開始かどうか（すなわち、ダイレクトコピー開始あるいはＰＣとの通信開始かどうか）を確認し、ＹｅｓならばダイレクトコピーあるいはＰＣとの通信を開始する。
【００２７】
ダイレクトコピー制御部２３は、後述するダイレクトコピー処理中はＵＳＢバス切替回路２７を制御する切り替え信号３２（図３参照）をダイレクトコピー制御部２３側にして、第３のＵＳＢ２６を介したデータを第４のＵＳＢ３０を介してＭＯドライブ制御部２９に出力し、ダイレクトコピー処理が終了すると切り替え信号３２をパーソナルコンピュータ２４側にするので、ＭＯドライブ制御部２９は、ステップＳ８で切り替え信号３２がダイレクトコピー制御部２３側かどうかを判断し、ダイレクトコピー制御部２３側ならばダイレクトコピー中なのでコピー終了を待ち、切り替え信号３２がパーソナルコンピュータ２４側になると、ダイレクトコピー終了かあるいはＰＣとの接続開始なので、ステップＳ９に移行し、ステップＳ９で切り替え許可信号３１をＯＦＦとしてダイレクトコピー制御部２３に出力し、処理を終了する。
【００２８】
なお、光学式情報記録再生装置の一例であるＭＯ（光磁気）ディスク装置１の電源がオンであり続ければ、上記ステップＳ２〜Ｓ９の処理を継続し続ける。
【００２９】
このときの各ＬＥＤの状態を表１に示す。表１において、スタンバイ状態表示は上記のステップＳ１〜Ｓ５の時の表示である。また、ダイレクトコピー処理が終了したステップＳ８での各ＬＥＤの状態は、コピー正常終了表示、コピー異常終了表示あるいはコピー強制終了表示のいずれかであり、コピー準備中表示、コピー準備完了表示及びコピー中表示の各状態表示は後述するダイレクトコピー制御部２３のダイレクトコピー処理（ステップＳ７）中になされる。
【００３０】
【表１】
2004139651.tif 000003
次に、ダイレクトコピー制御部２３の処理について説明する。図５に示すように、ダイレクトコピー制御部２３は、ステップＳ１１で第１のコネクタ５に接続された読み出し用の周辺外部機器であるデジタルスチルカメラ２１のシステムをチェックする。ここでは、例えばデジタルスチルカメラ２１の論理フォーマットがサポートできるか、デジタルスチルカメラ２１にコピーすべきデータがあるか、さらにはファイルシステムが正常（ＦＡＴ１／ＦＡＴ２が一致）しているか等がチェックされる。
【００３１】
そして、ステップＳ１２でデジタルスチルカメラ２１のシステムが適合システムかどうか判断され、適合システムでないならば処理を終了し、ステップＳ１３でコピースタート／ストップスイッチ（ＣＯＰＹ　ＳＷ　ＳＴＡＲＴ／ＳＴＯＰ）６が押下されＭＯドライブ制御部２９より入力される切り替え許可信号３１をチェックする。
【００３２】
そして、ステップＳ１４で切り替え許可信号３１のＯＮ信号が入力されると、ステップＳ１５でＵＳＢバス切替回路２７を制御する切り替え信号３２をダイレクトコピー制御部２３側にする。
【００３３】
ステップＳ１６では、ＭＯ（光磁気）ディスク２８の状態をチェックし、ステップＳ１７でＭＯ（光磁気）ディスク２８の状態を判定する。ステップＳ１６では、例えばＭＯ（光磁気）ディスク２８の論理フォーマットがサポートできるか、ファイルシステムが正常（ＦＡＴ１／ＦＡＴ２が一致）しているか、さらには空き容量が足りているか（デジタルスチルカメラ２１のデータ容量≦ＭＯ（光磁気）ディスク２８の空き容量）等がチェックされる。ここまでの各ＬＥＤは表１のコピー準備中表示となり、最終的に各ＬＥＤを表１のコピー完了表示させる。
【００３４】
そして、ステップＳ１８で各ＬＥＤを表１のコピー中表示させて、読み出し側の周辺外部機器であるデジタルスチルカメラ２１からデータを読み出し、ステップＳ１９で読み出したデータをＭＯドライブ制御部２９によりＭＯ（光磁気）ディスク２８に書き込み、ステップＳ２０でデジタルスチルカメラ２１の全てのデータのコピーが完了したかどうか判定し、データのコピーが完了した場合には、ステップＳ２１で切り替え信号３２をパーソナルコンピュータ２４側にして処理を終了する。
【００３５】
なお、ステップＳ２０で判定によって、各ＬＥＤは表１のコピー正常終了表示、コピー異常終了表示あるいはコピー強制終了表示のいずれかの表示となる。
【００３６】
このように本実施の形態のＭＯ（光磁気）ディスク装置１では、装置にパーソナルコンピュータ２４をＵＳＢ接続した状態であっても、パーソナルコンピュータ２４の電源がオフかあるいはサスペンド状態（休止状態）であるならば、デジタルスチルカメラ２１からデータをＵＳＢでＭＯ（光磁気）ディスク２８にダイレクトコピーすることができる。
【００３７】
なお、本実施の形態では、ＭＯ（光磁気）ディスク装置１は、例えば１２８ＭＢ／２３０ＭＢ／５４０ＭＢ／６４０ＭＢ／１．３ＧＢのＭＯ（光磁気）ディスクをサポートしている。
【００３８】
また、本実施の形態では、リムーバブルな光学式記録媒体としてＭＯ（光磁気）ディスクを例に説明したが、これに限らず、ＣＤ−Ｒ，ＣＤ−ＲＷ，ＤＶＤ−Ｒ等をリムーバブルな光学式記録媒体とする光学式情報記録再生装置に適用できることは言うまでもない。
【００３９】
また、本実施の形態は、記録媒体はリムーバブルな光学式記録媒体に限らず、ＨＤ等の固定ディスク・磁気式情報記録再生装置にも適用可能である。
【００４０】
本発明は、上述した実施の形態に限定されるものではなく、本発明の要旨を変えない範囲において、種々の変更、改変等が可能である。
【００４１】
【発明の効果】
以上説明したように本発明によれば、ホストデバイスをＵＳＢ接続した状態で、周辺外部機器からのデータをＵＳＢ接続により直接記録させることができるという効果がある。
【図面の簡単な説明】
【図１】本発明の一実施の形態に係るリムーバブルな光学式記録媒体にデータを記録・再生する光学式情報記録再生装置の外観を示す外観図
【図２】図１のリムーバブルな光学式記録媒体にデータを記録・再生する光学式情報記録再生装置置の背面を示す背面図
【図３】図１のリムーバブルな光学式記録媒体にデータを記録・再生する光学式情報記録再生装置の回路構成を示すブロック図
【図４】図３のＭＯドライブ制御部の作用を説明するフローチャート
【図５】図３のダイレクトコピー制御部の作用を説明するフローチャート
【符号の説明】
１…リムーバブルな光学式記録媒体にデータを記録・再生する光学式情報記録再生装置（ＭＯ（光磁気）ディスク装置）
２…ディスク挿入口
３…パワースイッチ
４…パワーＬＥＤ（Ｐｏｗｅｒ　ＬＥＤ）
５…第１のコネクタ
６…コピースタート／ストップスイッチ（ＣＯＰＹ　ＳＷ　ＳＴＡＲＴ／ＳＴＯＰ）
７…コピー状態ＬＥＤ（ＣＯＰＹ　ＳＴＡＴＵＳ　ＬＥＤ）
８…コピー状態ＬＥＤ（Ｄｒｉｖｅ　ＢＵＳＹ　ＬＥＤ）
９…ディスク排出スイッチ
１０…第２のコネクタ
１１…アダプタ接続コネクタ
２１…デジタルスチルカメラ
２２…第１のＵＳＢ
２３…ダイレクトコピー制御部
２４…パーソナルコンピュータ
２５…第２のＵＳＢ
２６…第３のＵＳＢ
２７…ＵＳＢバス切替回路
２８…リムーバブルな光学式記録媒体（ＭＯ（光磁気）ディスク）
２９…ＭＯドライブ制御部
３０…第４のＵＳＢ
３１…切り替え許可信号
３２…切り替え信号
３３…ディスク有無信号
【図１】
2004139651.tif 000004
【図２】
2004139651.tif 000005
【図３】
2004139651.tif 000006
【図４】
2004139651.tif 000007
【図５】
2004139651.tif 000008